(57)【要約】【課題】内容物を吐出させる際の押下ヘッドの押下力を低減できる吐出容器を提供する。【解決手段】吐出容器１は、容器本体１１と、内側が容器本体内に連通するシリンダ部３１、シリンダ部内に配設されたピストン部４６、収容孔５３ｃが形成された押下ヘッド５１、および吐出口６３ａが形成されたノズル部６１を有する吐出器２１と、押下ヘッドに配設された操作部材８６、および一端部９１ａ側が吐出器に連結され、かつ他端部９１ｂ側が操作部材に連結された帯体９１を有する補助具８１とを備え、操作部材は、押下部８７と、押下ヘッドの収容孔に配設された連結部８８と、を有し、帯体のうち、他端部側が連結部の下端部に連結され、中間部９１ｃが押下ヘッドの上面に係合し、連結部の外周面のうち、帯体の一端部側を向く部分に帯体の少なくとも一部を収容する退避凹部８８ａが形成されている。【選択図】図１
2018122900.tif 000002
【特許請求の範囲】
【請求項１】
内容物が収容される容器本体と、
内側が前記容器本体内に連通するとともに、上下方向に延設されたシリンダ部、
前記シリンダ部内に上下摺動可能に配設されたピストン部、
上下方向に延びる収容孔が形成され、上方付勢状態で下方移動可能に配設されるとともに、前記ピストン部の上下動に連係する押下ヘッド、および、
前記シリンダ部内の前記内容物を吐出する吐出口が形成されたノズル部を有する吐出器と、
前記押下ヘッドに配設された操作部材、および、
一端部側が前記容器本体又は前記吐出器に連結され、かつ他端部側が前記操作部材に連結された帯体を有する補助具と、
を備え、
前記押下ヘッドの上下動に伴い、前記容器本体内の前記内容物が前記シリンダ部内へ供給されるとともに、前記シリンダ部内の前記内容物が前記吐出口から吐出され、
前記操作部材は、
前記押下ヘッドから上方に離間した位置に配設された押下部と、
前記押下部から下方に向かって延びるとともに、前記押下ヘッドの前記収容孔に上下動可能に配設された連結部と、を有し、
前記帯体のうち、前記他端部側が前記連結部の下端部に連結されるとともに、前記一端部と前記他端部との間の中間部が、前記押下ヘッドの上面に係合し、
前記連結部の外周面のうち、前記帯体の前記一端部側を向く部分に、上下方向に延びて前記帯体の少なくとも一部を収容する退避凹部が形成されていることを特徴とする吐出容器。
【請求項２】
前記連結部の下端部には、前記帯体の前記他端部に設けられた係合部が係合することで、前記係合部が前記連結部に対して上方に移動するのを規制する被係合部が形成されていることを特徴とする請求項１に記載の吐出容器。
【発明の詳細な説明】
【技術分野】
【０００１】
本発明は、吐出容器に関する。
【背景技術】
【０００２】
従来、例えば下記特許文献１に示されるように、内容物が収容される容器本体と、内側が容器本体内に連通するとともに、上下方向に延設されたシリンダ部、シリンダ部内に上下摺動可能に配設されたピストン部、上方付勢状態で下方移動可能に配設されるとともに、ピストン部の上下動に連係する押下ヘッド、および、シリンダ部内の内容物を吐出する吐出口が形成されたノズル部を有する吐出器と、を備え、押下ヘッドの上下動に伴い、容器本体内の内容物がシリンダ部内へ供給されるとともに、シリンダ部内の内容物が吐出口から吐出される吐出容器が知られている。
【先行技術文献】
【特許文献】
【０００３】
【特許文献１】特開２０１５−１２７２４２号公報
【発明の概要】
【発明が解決しようとする課題】
【０００４】
しかしながら、前記従来の吐出容器では、内容物を吐出させる際の押下ヘッドの押下力を低減することに改善の余地があった。
【０００５】
本発明は、このような問題点に鑑みてなされたものであって、内容物を吐出させる際の押下ヘッドの押下力を低減することができる吐出容器を提供することを目的とする。
【課題を解決するための手段】
【０００６】
上記課題を解決するために、この発明は以下の手段を提案している。
本発明の吐出器は、内容物が収容される容器本体と、内側が前記容器本体内に連通するとともに、上下方向に延設されたシリンダ部、前記シリンダ部内に上下摺動可能に配設されたピストン部、上下方向に延びる収容孔が形成され、上方付勢状態で下方移動可能に配設されるとともに、前記ピストン部の上下動に連係する押下ヘッド、および、前記シリンダ部内の前記内容物を吐出する吐出口が形成されたノズル部を有する吐出器と、前記押下ヘッドに配設された操作部材、および、一端部側が前記容器本体又は前記吐出器に連結され、かつ他端部側が前記操作部材に連結された帯体を有する補助具と、を備え、前記押下ヘッドの上下動に伴い、前記容器本体内の前記内容物が前記シリンダ部内へ供給されるとともに、前記シリンダ部内の前記内容物が前記吐出口から吐出され、前記操作部材は、前記押下ヘッドから上方に離間した位置に配設された押下部と、前記押下部から下方に向かって延びるとともに、前記押下ヘッドの前記収容孔に上下動可能に配設された連結部と、を有し、前記帯体のうち、前記他端部側が前記連結部の下端部に連結されるとともに、前記一端部と前記他端部との間の中間部が、前記押下ヘッドの上面に係合し、前記連結部の外周面のうち、前記帯体の前記一端部側を向く部分に、上下方向に延びて前記帯体の少なくとも一部を収容する退避凹部が形成されていることを特徴としている。
【０００７】
この発明によれば、操作部材を押下すると、帯体における前記一端部側が容器本体又は吐出器に固定された状態で、前記他端部側が操作部材とともに下降移動して収容孔に収容されるのに伴い、前記中間部が帯体の長手方向に沿って押下ヘッドの上面を移動する。このため、押下ヘッドが、帯体の前記中間部により下降移動させられ、ピストン部がシリンダ部内を下降移動する。
【０００８】
したがって、帯体のうち、前記一端部側が支点として、前記他端部側が力点として、前記中間部が作用点として、それぞれ機能することとなる。また、この過程において、帯体における前記中間部のうち、押下ヘッドを押下する作用点部分と、力点である前記他端部側と、の距離が漸次長くなる一方、帯体における前記中間部の作用点部分と、支点である前記一端部側と、の距離が漸次短くなる。
【０００９】
これにより、内容物を吐出する過程において、操作部材に加えた押下力を、梃子の原理により増幅させて前記中間部を介して押下ヘッドに及ぼすことができ、内容物を吐出する際の押下ヘッドの押下力を漸次低減することができる。これにより、優れた操作性を具備させることができる。
【００１０】
また、操作部材が、外周縁から下方に向けて延び押下ヘッドを径方向の外側から囲う周壁部を有さず、押下ヘッドの収容孔に配設された連結部を備えているため、押下ヘッドの外側に位置する部材を極力排除することが可能になり、吐出容器の外形を小型にすることができる。
連結部の外周面に退避凹部が形成されているため、操作部材を押下し、連結部、および帯体の他端部側を収容孔内に下方に向けて押込む過程において、帯体を順次、連結部の退避凹部に進入させることが可能になり、帯体が収容孔の内周面と連結部の外周面との間に挟まって引っ掛かるのを抑制することができる。
【００１１】
また、上記の吐出容器において、前記連結部の下端部には、前記帯体の前記他端部に設けられた係合部が係合することで、前記係合部が前記連結部に対して上方に移動するのを規制する被係合部が形成されていてもよい。
この発明によれば、帯体の係合部が連結部の被係合部に係合するため、連結部の下端部に対する帯体の他端部側の相対位置を安定させることが可能になり、操作部材の押下時に操作部材に加えた押下力を帯体に確実に伝達させることができる。
【発明の効果】
【００１２】
本発明の吐出容器によれば、内容物を吐出させる際の押下ヘッドの押下力を低減することができる。
【図面の簡単な説明】
【００１３】
【図１】本発明の第１実施形態における吐出容器の縦断面図である。
【図２】同吐出容器において操作部材を下降させた状態を示す縦断面図である。
【図３】本発明の第２実施形態の吐出容器において操作部材を下降させた状態を示す縦断面図である。
【図４】同吐出容器の補助具の横断面図である。
【図５】図３中のＶ−Ｖ線に相当する断面図である。
【図６】本発明の第３実施形態における吐出容器の縦断面図である。
【図７】図６中のＶＩＩ−ＶＩＩ線に相当する断面図である。
【図８】本発明の変形例の実施形態における吐出容器の縦断面図である。
【発明を実施するための形態】
【００１４】
（第１実施形態）
以下、本発明に係る吐出容器の第１実施形態を、図１および図２を参照しながら説明する。なお、以下の説明に用いる各図面では、各部材を認識可能な大きさとするために縮尺を適宜変更している。
図１に示すように、吐出容器１は、内容物が収容される容器本体１１と、容器本体１１の口部１１ａに装着された装着キャップ２６、内側が容器本体１１内に連通するシリンダ部３１、シリンダ部３１内に配設されたピストン部４６、ピストン部４６に設けられた押下ヘッド５１、および、シリンダ部３１内の内容物を吐出する吐出口６３ａが形成されたノズル部６１を有する吐出器２１と、押下ヘッド５１に配設された操作部材８６、および、一端部９１ａが吐出器２１に連結され、かつ他端部９１ｂが操作部材８６に連結された帯体９１を有する補助具８１と、を備えている。
【００１５】
ここで、容器本体１１は有底筒状に形成され、シリンダ部３１およびピストン部４６は、共通軸と同軸に配設されている。以下では、この共通軸をシリンダ軸Ｏといい、シリンダ軸Ｏに沿って、操作部材８６側を上方、容器本体１１側を下方という。また、シリンダ軸Ｏに沿う方向を上下方向といい、上方から見た平面視において、シリンダ軸Ｏに直交する方向をシリンダ径方向といい、シリンダ軸Ｏ回りに周回する方向をシリンダ周方向という。
【００１６】
容器本体１１は、例えばガラス瓶、合成樹脂製ボトル等であり、内部に図示しない内容物が収容される。容器本体１１の口部１１ａの外周面には、雄ねじが形成されている。口部１１ａの内側には、中栓１３が装着されている。
【００１７】
中栓１３は、円筒形状に形成され、シリンダ軸Ｏと同軸に配設されている。
中栓１３の上下方向の中間部における外周面には、シリンダ径方向の外側に向けて突出するフランジ部１４が形成されている。フランジ部１４は、シリンダ周方向の全周にわたって延びる円環状の板部である。フランジ部１４は、中栓１３を支持するための支持部であり、口部１１ａの上端開口縁上に載置されている。
【００１８】
装着キャップ２６は、円筒形状に形成され、シリンダ軸Ｏと同軸に配設されている。装着キャップ２６の内周面には、口部１１ａの雄ねじに螺合された雌ねじが形成されている。
【００１９】
シリンダ部３１は、上下方向に延設された有底筒状に形成され、容器本体１１の上方に配置されている。
シリンダ部３１には、装着キャップ２６に接続され、容器本体１１の口部１１ａに装着された装着筒部３２が設けられている。装着筒部３２は、シリンダ部３１の底壁部３３から下方に向けて延在し、シリンダ軸Ｏと同軸に配設されている。装着筒部３２の下端部には、装着キャップ２６の上端部内にアンダーカット嵌合され、前述した中栓１３におけるフランジ部１４上に載置された支持フランジ部３２ａが形成されている。
【００２０】
シリンダ部３１の上部における外周面には、被係止部３５がシリンダ径方向の外側に向けて全周にわたって連続して突設されている。なお、被係止部３５は、シリンダ部３１の外周面において、シリンダ周方向に間隔をあけて複数形成してもよい。
【００２１】
シリンダ部３１には、容器本体１１内の内容物をシリンダ部３１内の液室３６に吸込む吸込み部３７が配設されている。吸込み部３７の内側は、シリンダ部３１内の液室３６に連通している。吸込み部３７は、シリンダ部３１の底壁部３３の下面から下方に向かって延びているとともに液室３６に連通した接続筒部３８と、接続筒部３８に接続されたディップチューブ３９と、を備えている。
【００２２】
接続筒部３８は、シリンダ部３１における装着筒部３２の内側に配設されているとともに、シリンダ軸Ｏと同軸に配設されている。接続筒部３８のうち、上端部は他の部分よりも拡径されている。すなわち、接続筒部３８は、液室３６に向けて開口された大径の上筒部３８ａと、上筒部３８ａの下方に段差を介して連設された小径の下筒部３８ｂと、を備えている。
下筒部３８ｂの上端部の内周面には、全周にわたって延びるとともに、シリンダ径方向の内側に向けて突出した円環状の弁座部３８ｃが形成されている。また、接続筒部３８は、シリンダ部３１と一体に形成されている。下筒部３８ｂの下端部は、中栓１３内に嵌合されている。
【００２３】
ディップチューブ３９は、容器本体１１の内側に配置されて容器本体１１内の内容物を吸い上げるためのチューブであり、例えば可撓性を有するフレキシブルチューブからなる。なお、ディップチューブ３９は、単なる円筒状のパイプであってもよい。ディップチューブ３９の下端開口は、容器本体１１内に開放されており、ディップチューブ３９の上端開口は、接続筒部３８の内側に嵌合されて上筒部３８ａ内を通して液室３６に連通している。
【００２４】
吸込み部３７の内側に、ピストン部４６の動作に伴って容器本体１１内と液室３６との連通、およびその遮断を切換える吸込み弁４１が配設されている。吸込み弁４１は、吸込み部３７の上筒部３８ａ内に嵌合された周壁部４１ａと、周壁部４１ａの内側に配設されて弁座部３８ｃの内側を開閉する板状の弁体部４１ｂと、弁体部４１ｂの外周面と、周壁部４１ａの内周面と、を連結する弾性変形可能な連結片４１ｃと、を備えている。
周壁部４１ａは、吸込み部３７の上筒部３８ａ内にアンダーカット嵌合されている。弁体部４１ｂは、弁座部３８ｃの上面に密に当接している。連結片４１ｃは、例えばシリンダ周方向に間欠的に複数配設され、弁体部４１ｂの外周面と周壁部４１ａの内周面とを繋いでいる。
【００２５】
なお、吸込み弁４１は、１つの連結片４１ｃで弁体部４１ｂを支持した一点弁でもよい。さらに、本実施形態では、弁座部３８ｃに着座する弁体部４１ｂを利用することで吸込み部３７の内側を開閉する吸込み弁４１を例に挙げたが、この場合に限定されるものではなく、例えばボール弁を吸込み弁として採用しても構わない。
【００２６】
ノズル部６１は、シリンダ部３１内の液室３６に貯留された内容物を外部に吐出させるための筒状部材である。ノズル部６１は、シリンダ部３１の下端部に連結されている。なお、図１、図２、および図６にＬで示す一点鎖線は、ノズル部６１の中心軸線を示しており、以下、ノズル軸Ｌという。また、ノズル軸Ｌに沿った方向をノズル軸方向といい、ノズル軸方向から見てノズル軸Ｌに直交する方向をノズル径方向といい、ノズル軸Ｌ回りの方向をノズル周方向という。さらに、ノズル軸方向のうち、吐出口６３ａ側を前方といい、シリンダ部３１側を後方という。
平面視において前後方向に直交する方向を左右方向という。ノズル軸方向は、平面視において、シリンダ径方向のうちの一方向と一致している。
【００２７】
ノズル部６１は、後方に位置する根元筒部６２と、前方に位置し、根元筒部６２に外嵌されたノズル筒部６３と、を備えている。
根元筒部６２は、シリンダ部３１と一体に形成されている。根元筒部６２の後端部は、端壁部６２ａによって閉塞されている。根元筒部６２の後端部の上部は、シリンダ部３１の内部に向けて開口している。
また、根元筒部６２の内側には、ノズル軸Ｌに対して直交する隔壁部６４が配設されている。
【００２８】
隔壁部６４には、ノズル軸方向に貫通する挿通孔６４ａが形成されている。挿通孔６４ａは、隔壁部６４の中央部分にノズル軸Ｌと同軸に配設されている。挿通孔６４ａは、前方に向かうに従い漸次拡径するテーパー状に形成されている。
また、隔壁部６４には、ノズル軸方向に貫通する複数の流通孔６４ｂが形成されている。流通孔６４ｂは、内容物が流通する流路であり、挿通孔６４ａの周囲に間欠的に形成されている。
【００２９】
ノズル筒部６３は、内容物を吐出するための筒部材であり、内容物を吐出する吐出口６３ａを有している。ノズル筒部６３は、根元筒部６２をノズル径方向に囲繞する外装筒部６３ｂと、外装筒部６３ｂの前端部からノズル軸方向に延びる延出筒部６３ｃと、延出筒部６３ｃの前端部から下方に向けて延び、下端開口が吐出口６３ａとされた屈曲筒部６３ｄと、を備えている。延出筒部６３ｃおよび屈曲筒部６３ｄそれぞれの外径および内径は、互いに同等となっている。
【００３０】
ノズル部６１の内側に、吐出弁６６が配設されている。吐出弁６６は、ノズル部６１内からシリンダ部３１の液室３６への内容物および空気の流入を止める逆止弁であり、ピストン部４６の下降移動に連動して開けられる。
吐出弁６６は、ノズル部６１の内側に取付けられる弁基部６７と、弾性変形することにより液室３６と吐出口６３ａとの連通およびその遮断を切り替える弁部６８と、を備えている。
弁部６８は、弁基部６７から前方に向けて延びる筒状に形成されている。
【００３１】
弁基部６７は、隔壁部６４の前方に配設され、挿通孔６４ａより大径に形成された基部本体６９と、基部本体６９から後方に向けて突出し、挿通孔６４ａに挿通された挿通部７０と、を備えている。挿通部７０は筒状に形成され、ノズル軸Ｌと同軸に配設されている。
挿通部７０のうち、隔壁部６４より後方に位置する後端部には、ノズル径方向の外側に向けて突出する係止部７１が形成されている。挿通部７０は、挿通孔６４ａに前後動自在に挿通される。吐出弁６６が前進端位置に位置したときに、係止部７１が隔壁部６４の後面に当接し、吐出弁６６が後退端位置に位置したときに、基部本体６９が隔壁部６４の前面に当接する。
【００３２】
係止部７１は、後方に向かうに従い漸次、縮径された円錐台形状に形成されている。係止部７１を、上述したテーパー状の挿通孔６４ａの前方から挿通孔６４ａ内に挿入させることで、吐出弁６６が挿通孔６４ａに装着されている。基部本体６９は、柱状に形成され、ノズル軸Ｌと同軸に配設されている。
弁部６８は、前方に向かって漸次拡径されたテーパー状の筒形状をなし、弁基部６７の基部本体６９の外周縁から、前方に向かって突出している。弁部６８の前端部は、根元筒部６２の内周面に全周にわたって密に当接している。
【００３３】
ピストン部４６は、シリンダ部３１内を上下方向に摺動可能に配設され、液室３６を画成している。
ピストン部４６は、シリンダ軸Ｏに直交する底壁部４７と、底壁部４７の外周縁から上方に向けて延びる周壁部４８と、周壁部４８をシリンダ径方向の外側から囲繞し、かつシリンダ部３１内に摺動自在に嵌合された筒状の摺接部４９と、を備えている。
【００３４】
底壁部４７は、液室３６に面する平面視円形の壁部であり、シリンダ部３１の底壁部３３に対して上方に間隔をあけて配置されている。底壁部４７の外周部の上面には後述する連結部材５３の嵌合フランジ部５３ｂが当接しており、嵌合フランジ部５３ｂによって底壁部４７が上方から押さえられている。
【００３５】
周壁部４８は、円筒形状の筒部であり、シリンダ軸Ｏと同軸に配設されている。
摺接部４９は、シリンダ軸Ｏと同軸に配設された略円筒形状の筒部であり、摺接部４９の上下方向の中間部は、周壁部４８の上端部に連結されている。摺接部４９の上端部は、上方に向かうに従い漸次拡径されたテーパー形状に形成されている。また、摺接部４９の下端部は、下方に向かうに従い漸次拡径されたテーパー形状に形成されている。そして、これら摺接部４９の上下端部は、それぞれシリンダ部３１の内周面に全周にわたって密に摺動自在に当接している。
【００３６】
シリンダ部３１の上端部には、中蓋５５が被着されている。
中蓋５５は、シリンダ軸Ｏと同軸に配設された円環状の天壁部５５ａと、天壁部５５ａの外周縁から下方に向かって延びる外筒部５５ｂと、天壁部５５ａの内周縁から下方に向かって延びる内筒部５５ｃと、内筒部５５ｃの下端部からシリンダ径方向の内側に向けて延びる円環状の底壁部５５ｄと、底壁部５５ｄの内周縁に立設されたガイド筒部５５ｅと、を備えている。
天壁部５５ａは、シリンダ部３１の上方に配置され、シリンダ部３１の上端開口縁上に載置されている。
【００３７】
外筒部５５ｂは、シリンダ部３１の上端部の外周に周設された円筒形状の筒部であり、シリンダ軸Ｏと同軸に配設されている。外筒部５５ｂは、シリンダ部３１の上端部にアンダーカット嵌合されている。
内筒部５５ｃは、シリンダ部３１の上端部の内側に配設された略円筒形状の筒部である。内筒部５５ｃは、シリンダ軸Ｏと同軸に配設されている。
【００３８】
底壁部５５ｄは、シリンダ軸Ｏと同軸に配設された円環状の板部である。底壁部５５ｄは、シリンダ軸Ｏと同軸に配設されている。
底壁部５５ｄの下面には、連結部材５３の嵌合フランジ部５３ｂに上方から当接するストッパ５５ｆが設けられている。ガイド筒部５５ｅは、内筒部５５ｃの内側に配設された円筒形状の直筒部であり、シリンダ軸Ｏと同軸に配設されている。
【００３９】
押下ヘッド５１は、上方付勢状態で下方移動可能に配設されるとともに、ピストン部４６の上下動に連係する。押下ヘッド５１は、ヘッド本体５２と、ヘッド本体５２に嵌合された連結部材５３と、を備えている。
ヘッド本体５２は、シリンダ軸Ｏと同軸に配設された円環状の天壁部５２ａと、天壁部５２ａの外周縁から下方に向かって延びる周壁部５２ｂと、天壁部５２ａの内周縁から下方に向かって延びる内筒部５２ｃと、天壁部５２ａの下面から下方に向かって延びる筒状のスプリング保持部５２ｄと、を備えている。
天壁部５２ａは、中蓋５５の天壁部５５ａの上方に配設されている。
周壁部５２ｂは、中蓋５５の外筒部５５ｂおよびシリンダ部３１をシリンダ径方向の外側から囲う円筒形状をなし、シリンダ軸Ｏと同軸に配設されている。
【００４０】
内筒部５２ｃは、周壁部５２ｂの内側に配設された円筒形状の直筒部であり、シリンダ軸Ｏと同軸に配設されている。
また、内筒部５２ｃの外径は、中蓋５５のガイド筒部５５ｅよりも小径であり、内筒部５２ｃは、ガイド筒部５５ｅの内側に挿入されている。スプリング保持部５２ｄは、円筒形状の筒部であり、周壁部５２ｂの上端部と内筒部５２ｃの上端部との間にシリンダ軸Ｏと同軸に配設されている。
【００４１】
連結部材５３は、ヘッド本体５２の内筒部５２ｃの内側に嵌合された嵌合部５３ａと、嵌合部５３ａの下端からシリンダ径方向の外側に突出した嵌合フランジ部５３ｂと、を備えている。
嵌合部５３ａは、筒状に形成され、シリンダ軸Ｏと同軸に配設されている。嵌合部５３ａの上端部は、ヘッド本体５２の内筒部５２ｃ内にアンダーカット嵌合されている。
【００４２】
嵌合フランジ部５３ｂは、シリンダ周方向の全周にわたって形成された円環状の板部であり、ピストン部４６の底壁部４７の上面に載置されているとともにピストン部４６の周壁部４８の内側にアンダーカット嵌合されている。
また、嵌合フランジ部５３ｂは、中蓋５５の底壁部５５ｄの下面に設けられたストッパ５５ｆと当接可能とされており、これにより、後述するコイルスプリング５６によるヘッド本体５２およびピストン部４６の上昇が制限され、ヘッド本体５２およびピストン部４６のストロークの上端位置が位置決めされている。
【００４３】
押下ヘッド５１は、コイルスプリング５６により上方に付勢されている。
コイルスプリング５６は、押し込まれたピストン部４６を引き戻す付勢力を付与するための付勢部材であり、上記した中蓋５５とヘッド本体５２との間に介装されている。
コイルスプリング５６は、ヘッド本体５２の周壁部５２ｂの内側に配設されている。コイルスプリング５６の下端は、上記した中蓋５５の底壁部５５ｄの上面に係止され、コイルスプリング５６の上端は、上記したヘッド本体５２のスプリング保持部５２ｄの内側に嵌め込まれてヘッド本体５２の天壁部５２ａの下面に係止されている。
【００４４】
操作部材８６は、押下ヘッド５１から上方に離間した位置に配設された押下部８７と、押下部８７から下方に向かって延びる連結部８８と、を有している。
押下部８７は、円板状に形成され、シリンダ軸Ｏと同軸に配設されている。押下部８７の外径は、押下ヘッド５１の外径と同等である。
連結部８８は、円筒形状に形成されている。連結部８８は、押下ヘッド５１の嵌合部５３ａの内側（以下、収容孔という）５３ｃに上下動可能に配設されている。連結部８８の外周面のうち、前方（帯体９１の一端部９１ａ側）を向く部分に、上下方向に延びる退避凹部８８ａが形成されている。退避凹部８８ａは、連結部８８の外周面を貫いて連結部８８の内側に連通している。退避凹部８８ａは、連結部８８の下端開口縁から上方に向けて延びている。退避凹部８８ａは、連結部８８の上下方向の全長にわたって形成されている。
【００４５】
連結部８８の下端部には、被係合部８８ｂが形成されている。被係合部８８ｂは、退避凹部８８ａとはシリンダ周方向に位置をずらして形成されている。被係合部８８ｂは、連結部８８の外周面のうち左右方向を向く部分に、シリンダ径方向に貫くとともに下方に開口するように形成されている。
【００４６】
帯体９１は、一端部９１ａが前方に位置し、他端部９１ｂが後方に位置するように配置されている。帯体９１の一端部９１ａには、円環状の連結部材９２が設けられている。連結部材９２がノズル部６１の外装筒部６３ｂに外装されていることで、帯体９１の一端部９１ａが吐出器２１に連結されている。
なお、連結部材９２は、帯体９１において、一端部９１ａではなく、一端部９１ａよりも他端部９１ｂ寄りの位置に設けられてもよい。
【００４７】
帯体９１の他端部９１ｂには、帯体９１のうち一端部９１ａと他端部９１ｂとの間の中間部９１ｃよりも厚さおよび幅が大きい直方体状の係合部９３が設けられている。
帯体９１は、他端部９１ｂが操作部材８６の連結部８８の下端部に連結されている。係合部９３は、操作部材８６の被係合部８８ｂに被係合部８８ｂの下方から係合している。係合部９３が被係合部８８ｂに係合していることで、係合部９３が連結部８８に対して上方に移動するのが規制される。
帯体９１の中間部９１ｃは、一端部９１ａから上方に向けて延びるとともに、他端部９１ｂから前方に向けて延びるように屈曲されている。図示の例では、帯体９１の中間部９１ｃのうち他端部９１ｂから前方に向けて延びている部分が、押下ヘッド５１の天壁部５２ａの上面に係合している。
なお、帯体９１の中間部９１ｃが係合する部分は、天壁部５２ａの上面に限定されず、例えば周壁部５２ｂの外周面や内筒部５２ｃの内周面等でもよい。
補助具８１は、帯体９１を１本有している。操作部材８６および１本の帯体９１は、一体に形成されている。なお、帯体９１とノズル筒部６３とは別体に形成されている。
【００４８】
以上のように構成された吐出容器１において、容器本体１１に吐出器２１および補助具８１を取付ける手順は、以下のようになる。
吐出器２１において、中栓１３のフランジ部１４を、容器本体１１の口部１１ａの上端開口縁上に載置する。容器本体１１の口部１１ａの雄ねじに装着キャップ２６の雌ねじを螺合させることで、容器本体１１に吐出器２１を取付ける。
さらに、ノズル部６１のノズル筒部６３を、帯体９１の連結部材９２の後方から連結部材９２内に挿入させる。連結部材９２内にノズル部６１の根元筒部６２を通し、ノズル部６１に帯体９１の一端部９１ａを連結する。操作部材８６の被係合部８８ｂに帯体９１の係合部９３を係合させるとともに、帯体９１の他端部９１ｂ側を、退避凹部８８ａを通して連結部８８内に配した状態で、連結部８８の下端部を押下ヘッド５１の収容孔５３ｃに挿入する。以上の工程で、吐出器２１に補助具８１を取付ける。
【００４９】
上記した吐出容器１を用いて内容物を吐出する際には、図１に示すように、液室３６に内容物が貯留された状態で、図２に示すように、操作部材８６を下方に向けて押下し、連結部８８、および帯体９１の他端部９１ｂを収容孔５３ｃ内に下方に向けて押込む。
【００５０】
このため、帯体９１の中間部９１ｃが順次、他端部９１ｂ側に向けて、押下ヘッド５１の天壁部５２ａの上面を摺動しながら移動する。これにより、中間部９１ｃが押下ヘッド５１をコイルスプリング５６の付勢力に抗して、下方に向けて押し下げる。
この際、コイルスプリング５６が上下方向に圧縮されるとともに、押下ヘッド５１に連結されたピストン部４６が、押下ヘッド５１とともにシリンダ部３１に対して相対的に下降して、液室３６が減容される。
【００５１】
このような液室３６の減容化によって、液室３６の内圧が所定の正圧まで上昇することで、その内圧によって弁部６８が弾性的に縮径変形し、弁部６８の前端部と根元筒部６２の内周面との間に隙間が形成されて吐出弁６６が開かれる。
これにより、液室３６内の内容物が根元筒部６２の後方に流入した後、隔壁部６４の流通孔６４ｂを通って根元筒部６２内を前方に向かって流通し、さらに、根元筒部６２内からノズル筒部６３内に流入し、ノズル筒部６３内を通って吐出口６３ａから外部に吐出される。
【００５２】
ここで、前述のように、帯体９１の中間部９１ｃが押下ヘッド５１を押下する過程において、中間部９１ｃのうち、押下ヘッド５１を押下する作用点部分は、他端部９１ｂ側に位置する部分から、一端部９１ａ側に位置する部分に向けて順次移動してゆく。
この際、帯体９１のうちの一端部９１ａは吐出器２１に連結されており、他端部９１ｂは操作部材８６の下端部に連結されている。このため、中間部９１ｃにより押下される押下ヘッド５１は、補助具８１と近似的に動滑車を構成している。すわなち、帯体９１の他端部９１ｂの下方に向けた変位量は、押下ヘッド５１の下方に向けた変位量と比べて、動滑車における仕事の原理により、約２倍となる。
【００５３】
そして、操作部材８６の押し下げ操作を止めてピストン部４６の下降移動を停止させると、弁部６８が弾性により復元変形して拡径される。これにより、弁部６８の前端部が根元筒部６２の内周面に全周にわたって再び密に当接して吐出弁６６が閉じられ、その結果、ノズル部６１の吐出口６３ａからの内容物の吐出が停止される。
なお、図２に示すように、押下ヘッド５１の天壁部５１ａの下面が、中蓋５５の天壁部５５ａの上面に当接或いは近接した際に、ピストン部４６の底壁部４７の下面が、シリンダ部３１の底壁部３３の上面に当接或いは近接する。
【００５４】
次に、操作部材８６の押し下げ操作を解除すると、図１に示すように、コイルスプリング５６の付勢力によって押下ヘッド５１が押し上げられ、押下ヘッド５１に連結されたピストン部４６が、押下ヘッド５１とともにシリンダ部３１に対して相対的に上昇してシリンダ部３１の上端側に引き戻され、液室３６の容積が増大される。
なおこの際、押下ヘッド５１の上昇に伴い、押下ヘッド５１の天壁部５２ａが帯体９１の中間部９１ｃを押し上げる。
【００５５】
また、上述したように押下ヘッド５１が押し上げられて液室３６の内圧が負圧となると、その内圧によって吸込み弁４１の弁体部４１ｂが引っ張られ、吸込み弁４１の連結片４１ｃを弾性変形させながら弁体部４１ｂが引き上げられ、弁体部４１ｂが弁座部３８ｃから離間して吸込み弁４１が開かれる。
これにより、容器本体１１内の内容物がディップチューブ３９内に流入してディップチューブ３９内を上方に向かって流通し、弁座部３８ｃの内側を通って吸込み弁４１の周壁部４１ａの内側に流入する。そして、その内容物は、周壁部４１ａと弁体部４１ｂとの間の隙間を通って流通し、接続筒部３８の上筒部３８ａの内側を通過して液室３６内に吸込まれて供給される。
【００５６】
そして、図１に示すように、連結部材５３の嵌合フランジ部５３ｂの上面が、中蓋５５の底壁部５５ｄの下面におけるストッパ５５ｆに当接或いは近接することで、押下ヘッド５１の上昇が停止してピストン部４６の引戻し動作が停止する。これにより、吸込み弁４１の連結片４１ｃの弾性によって弁体部４１ｂが引き下げられ、弁体部４１ｂが弁座部３８ｃに着座して密に当接して吸込み弁４１が閉じられ、その結果、液室３６内への内容物の吸込みが停止される。
【００５７】
以上説明したように、本実施形態の吐出容器１によれば、操作部材８６を押下すると、帯体９１における一端部９１ａが吐出器２１に連結された状態で、他端部９１ｂが操作部材８６とともに下降移動して収容孔５３ｃに収容されるのに伴い、中間部９１ｃが帯体９１の長手方向に沿って押下ヘッド５１の上面を移動する。このため、押下ヘッド５１が、帯体９１の中間部９１ｃにより下降移動させられ、ピストン部４６がシリンダ部３１内を下降移動する。
【００５８】
したがって、帯体９１のうち、一端部９１ａ側が支点として、他端部９１ｂ側が力点として、中間部９１ｃが作用点として、それぞれ機能することとなる。また、この過程において、帯体９１における中間部９１ｃのうち、押下ヘッド５１を押下する作用点部分と、力点である他端部９１ｂ側と、の距離が漸次長くなる一方、帯体９１における中間部９１ｃの作用点部分と、支点である一端部９１ａ側と、の距離が漸次短くなる。
【００５９】
これにより、内容物を吐出する過程において、操作部材８６に加えた押下力を、梃子の原理により増幅させて中間部９１ｃを介して押下ヘッド５１に及ぼすことができ、内容物を吐出する際の押下ヘッド５１の押下力を漸次低減することができる。これにより、優れた操作性を具備させることができる。
【００６０】
また、操作部材８６が、外周縁から下方に向けて延び押下ヘッド５１をシリンダ径方向の外側から囲う周壁部を有さず、押下ヘッド５１の収容孔５３ｃに配設された連結部８８を備えているため、押下ヘッド５１の外側に位置する部材を極力排除することが可能になり、吐出容器１の外形を小型にすることができる。
連結部８８の外周面に退避凹部８８ａが形成されているため、操作部材８６を押下し、連結部８８、および帯体９１の他端部９１ｂを収容孔５３ｃ内に下方に向けて押込む過程において、帯体９１を順次、連結部８８の退避凹部８８ａに進入させることが可能になり、帯体９１が収容孔５３ｃの内周面と連結部８８の外周面との間に挟まって引っ掛かるのを抑制することができる。
【００６１】
さらに、本実施形態では、前述のように、操作部材８６を押下する過程で、帯体９１を、退避凹部８８ａを通して連結部８８の内側に進入させることが可能になり、帯体９１が、収容孔５３ｃの内周面と連結部８８の外周面との間に引っ掛かるのを確実に抑制することができる。
【００６２】
（第２実施形態）
次に、本発明の第２実施形態について図３から図５を参照しながら説明するが、前記実施形態と同一の部位には同一の符号を付してその説明は省略し、異なる点についてのみ説明する。
図３から図５に示すように、本実施形態の吐出容器２は、第１実施形態の吐出容器１の補助具８１に代えて、補助具１０１を備えている。
【００６３】
補助具１０１は、一対の帯体９１と、操作部材１０６と、吐出器２１に着脱自在に取り付けられる本体筒部１１１と、を有する。
本実施形態では、各帯体９１には連結部材９２が設けられておらず、係合部９３に代えて係合部１０３が設けられている。係合部１０３は、帯体９１の他端部９１ｂに左右方向の内側に向けて突出するように設けられている。係合部１０３は、下方から上方に向かうに従い、左右方向の内側に向けた突出量が大きくなっている。係合部１０３の上端面は、上方を向く平坦面になっている。
一対の帯体９１は、左右方向にシリンダ軸Ｏを挟んで互いに反対となる位置に各別に配設されている。
【００６４】
操作部材１０６は、上記した押下部８７と、押下部８７から下方に向かって延びる連結部１０７と、を備えている。連結部１０７は、円柱形状に形成されている。連結部１０７の外径は、収容孔５３ｃの内径よりも小さい。連結部１０７の外周面のうち、左右方向を向く部分に、上下方向に延びる退避凹部１０７ａが各別に形成されている。退避凹部１０７ａは、連結部１０７の外周面からシリンダ径方向の内側に向けて凹んでいる。退避凹部１０７ａは、連結部１０７の下端面から上方に向けて延びている。退避凹部１０７ａは、連結部１０７の上下方向の全長にわたって形成されている。一対の退避凹部１０７ａは、シリンダ軸Ｏを左右方向に挟んで互いに反対となる位置に各別に配設されている。
退避凹部１０７ａの深さは、帯体９１の厚さよりも小さい。各退避凹部１０７ａには、帯体９１の一部が各別に収容されている（特に図５参照）。
【００６５】
連結部１０７の下端部に、被係合部１０７ｂが形成されている。被係合部１０７ｂは、退避凹部１０７ａの底面からシリンダ径方向の内側に向けて凹んでいる。被係合部１０７ｂの、退避凹部１０７ａの底面からの窪み量は、全域にわたって同等である。被係合部１０７ｂは、連結部１０７の下端面から上方に向けて延びている。
被係合部１０７ｂを画成する内面のうち下方を向く上端縁は、係合部１０３の上端面に当接或いは近接している。被係合部１０７ｂに係合部１０３が係合していることで、係合部１０３が連結部１０７に対して上方に移動するのが規制される。
【００６６】
本体筒部１１１は、前方に向けて開口する側方開口部１１１ａが形成された平面視Ｃ字状の円筒状をなしている（特に図４参照）。本体筒部１１１の上筒部１１２の両周端縁間の左右方向の間隔Ｘは、シリンダ部３１の外径よりも小さい。本体筒部１１１の両周端縁には、前方に向けて突出する突出部１１１ｂが、本体筒部１１１の上下方向の全長にわたって各別に突設されている。一対の突出部１１１ｂ間の間隔は、前方に向かうに従い漸次大きくなる。
【００６７】
本体筒部１１１は、大径の上筒部１１２と、上筒部１１２の下端部に段差部を介して連設された小径の下筒部１１３と、を備えている。上筒部１１２の内径および外径は、上下方向の全域にわたって同等である。下筒部１１３は、下方に向かって漸次縮径されたテーパー状の円筒状をなす。上筒部１１２および下筒部１１３は、シリンダ軸Ｏと同軸に配設されている。上筒部１１２はシリンダ部３１の下端部に外嵌され、下筒部１１３は装着筒部３２に外嵌されている。
上筒部１１２と下筒部１１３との間の段差部の内面は、シリンダ部３１と装着筒部３２との間の段差部の外面に係合している。下筒部１１３の下端部は、装着筒部３２の外周面からシリンダ径方向の外側に向けて突出する第２支持フランジ部３２ｂ上に配置されている。
【００６８】
本体筒部１１１のうち、シリンダ軸Ｏをシリンダ径方向に挟んで側方開口部１１１ａとは反対側の部分の内周面に、支持部１１４が配設されている。支持部１１４が装着筒部３２に設けられた図示しないリブに嵌合することで、吐出器２１に対する本体筒部１１１のシリンダ周方向の位置が位置決めされている。
各帯体９１の一端部９１ａは、上筒部１１２の外周面のうち、左右方向を向く部分に連結されている。
一対の帯体９１、操作部材１０６、および本体筒部１１１を備える補助具１０１は、一体に形成されている。
【００６９】
以上のように構成された吐出容器２において、吐出器２１に補助具１０１を取り付ける手順は、以下のようになる。
吐出器２１のシリンダ部３１および装着筒部３２の後方と、本体筒部１１１の側方開口部１１１ａと、を前後方向に接近移動させ、シリンダ部３１および装着筒部３２により側方開口部１１１ａがシリンダ周方向に拡大するように本体筒部１１１を弾性変形させつつ、シリンダ部３１および装着筒部３２を側方開口部１１１ａの両周端縁間を通過させる。この際、側方開口部１１１ａがシリンダ周方向に縮小するように本体筒部１１１が復元変形することで、上筒部１１２がシリンダ部３１の下端部に外嵌し、かつ下筒部１１３が装着筒部３２に外嵌する。
【００７０】
以上の手順により、吐出器２１に本体筒部１１１が取り付けられる。
その後、操作部材１０６の被係合部１０７ｂに帯体９１の係合部１０３を係合させるとともに、帯体９１の他端部９１ｂを退避凹部１０７ａ内に配置した状態で、連結部１０７の下端部を押下ヘッド５１の収容孔５３ｃに挿入する。
以上の工程で、吐出器２１に補助具１０１が取り付けられる。
なお、上記した吐出容器２を用いて内容物を吐出する手順は上記した手順と同一なので説明を省略する。
【００７１】
以上説明したように、本実施形態の吐出容器２によれば、内容物を吐出させる際の押下ヘッド５１の押下力を低減することができる。
補助具１０１が一対の帯体９１を有することで、一対の帯体９１により押下ヘッド５１をより確実に押下することができる。補助具１０１が本体筒部１１１を有することで、吐出器２１に補助具１０１を容易に着脱することができる。
【００７２】
（第３実施形態）
次に、本発明の第３実施形態について図６および図７を参照しながら説明するが、前記実施形態と同一の部位には同一の符号を付してその説明は省略し、異なる点についてのみ説明する。
図６および図７に示すように、本実施形態の吐出容器３は、容器本体１１と、吐出器１２１と、補助具１５１と、を備えている。なお、図７においては、後述する押下部１６１を二点鎖線で示している。
吐出器１２１は、内側が容器本体１１内に連通する液用シリンダ（シリンダ部）１２６と、容器本体１１の口部１１ａに装着されるとともに、液用シリンダ１２６を容器本体１１の口部１１ａに固定する有頂筒状の装着キャップ１２８と、液用シリンダ１２６内に上下摺動可能に配設された液用ピストン（ピストン部）１３０と、液用ピストン１３０の上下動に連係する押下ヘッド１３２と、液用シリンダ１２６内の内容物を吐出する吐出口１３４ａが形成されたノズル部１３４と、を有する。
補助具１５１は、押下ヘッド１３２に配設された操作部材１５６と、一端部９１ａが吐出器１２１に連結され、かつ他端部９１ｂが操作部材１５６に連結された一対の帯体９１と装着キャップ１２８に固定された装着リング１５８と、を有する。
【００７３】
また、図６に示すように、吐出器１２１は、容器本体１１の口部１１ａに上方付勢状態で下方移動可能に立設されたステム１３６と、押下ヘッド１３２およびステム１３６の上下動に連係する空気用ピストン１３８と、空気用ピストン１３８が内部に上下摺動可能に収容された空気用シリンダ１４０と、空気用シリンダ１４０からの空気と液用シリンダ１２６からの内容物とが合流する気液混合室１４２と、空気用シリンダ１４０からの空気を気液混合室１４２に導く空気通路１４４と、気液混合室１４２で混合された気液混合体を発泡させるとともに、所定の泡質にする発泡部材１４６と、を有する。
【００７４】
本実施形態では、収容孔１３２ａが、押下ヘッド１３２において、シリンダ軸Ｏよりも後方に位置する部分に形成されている。
図６および図７に示すように、操作部材１５６は、押下ヘッド１３２から上方に離間した位置に配設された押下部１６１と、押下部１６１から下方に向かって延びる連結部１６２と、を有している。
押下部１６１は、円板状に形成され、シリンダ軸Ｏと同軸に配設されている。
連結部１６２は、横断面視で左右方向に長い長方形状を呈する。連結部１６２の後端縁は、横断面視で左右方向の中央部に向かうに従い漸次、後方に向けて延びる曲線状を呈する。
連結部１６２の外周面うち、前方を向く前面における左右方向の両端部に、退避凹部１６２ａが形成されている。退避凹部１６２ａは、連結部１６２の下端面から上方に向けて延びている。退避凹部１６２ａは、連結部１６２の上下方向の全長にわたって形成されている。退避凹部１６２ａには、帯体９１の他端部９１ｂ側が収容されている。
連結部１６２は、押下部１６１の後端部に連結されている。連結部１６２は、押下ヘッド１３２の収容孔１３２ａに上下動可能に配設されている。
【００７５】
装着リング１５８は、装着キャップ１２８の上端部に外嵌されている。装着リング１５８の上端部のうち前方に位置する部分には、後方に向けて張出し、装着キャップ１２８の頂壁部に配置された張出し部１６４が形成されている。張出し部１６４の後端縁は、左右方向に沿って直線状に延びている。張出し部１６４には、張出し部１６４の後端部から上方に向けて延びる壁部１６５が形成されている。壁部１６５は、左右方向に沿って直線状に延びている。
一対の帯体９１は、左右方向に間隔を空けて配置されている。一対の帯体９１の各一端部９１ａは、壁部１６５の左右方向の両端部に連結されている。帯体９１の他端部９１ｂは、連結部１６２の下端部に各別に連結されている。一対の帯体９１の中間部９１ｃは、ノズル部１３４を左右方向に挟んでいる。
【００７６】
上記した吐出容器３を用いて内容物を吐出する際には、操作部材１５６を下方に向けて押下すると、液用シリンダ１２６内の内容物と、空気用ピストン１３８内の空気と、が気液混合室１４２で合流された後に、発泡部材１４６を通過することで、所定の泡質に発泡させた後に、吐出口１３４ａから吐出される。
ここで、連結部１６２の外周面に退避凹部１６２ａが形成されているため、操作部材１５６を押下し、連結部１６２、および帯体９１の他端部９１ｂを収容孔１３２ａ内に下方に向けて押込む過程において、帯体９１を順次、連結部１６２の退避凹部１６２ａに進入させることができる。
【００７７】
以上、本発明の第１実施形態から第３実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
【００７８】
例えば、図１および図２に示す第１実施形態では、図８に示す吐出容器１Ａのように、補助具８１を構成する操作部材８６および１本の帯体９１、さらにノズル筒部６３を一体に形成してもよい。この場合、帯体９１には連結部材９２が設けられず、帯体９１の一端部９１ａがノズル筒部６３に直接連結される。このように構成することで、吐出容器１Ａを構成する部品（パーツ）数を低減させることができる。
帯体９１の一端部９１ａは、吐出器２１のノズル部６１に連結されているとした。しかし、帯体９１の一端部９１ａが連結される対象はこれに限られない。例えば、帯体９１の一端部９１ａが連結される対象は、吐出器２１の装着キャップ２６やシリンダ部３１等でもよいし、容器本体１１でもよい。
【００７９】
上記した第１実施形態では吐出容器１が１本の帯体９１を備えるとし、上記した第２実施形態では吐出容器２が２本の帯体９１を備えるとした。しかし、吐出容器が備える帯体９１の数はこれに限定されない。例えば、吐出容器１が２本以上の帯体９１を備えるとしてもよいし、吐出容器２が１本、又は３本以上の帯体９１を備えるとしてもよい。
連結部８８、１０７に帯体９１の他端部９１ｂが連結されている部分の剛性が比較的高い場合等には、連結部８８、１０７に被係合部８８ｂ、１０７ｂが形成されず、帯体９１に係合部９３、１０３が設けられなくてもよい。
【００８０】
また、上記した第１実施形態および第２実施形態においては、吐出器２１が、容器本体１１の上方に配置されたシリンダ部３１と、シリンダ部３１の下端部に連結されたノズル部６１と、を備えた構成を示したがこのような態様に限られない。また、上記第３実施形態においては、吐出容器３が、容器本体１１の内側に配設された液用シリンダ１２６と、押下ヘッド１３２の上下動に連係する空気用ピストン１３８と、空気用ピストン１３８が内部に上下摺動可能に収容された空気用シリンダ１４０と、空気用シリンダ１４０からの空気と液用シリンダ１２６からの内容物とが合流する気液混合室１４２と、を備えた構成を示したが、このような態様に限られない。
また、上記第１実施形態から第３実施形態においては、吐出器２１、１２１が、押下ヘッド５１、１３２を押し下げることで、シリンダ部３１、１２６内の内容物が吐出口６３ａ、１３４ａから吐出され、押下ヘッド５１、１３２の押し下げを解除したときに、容器本体１１内の内容物がシリンダ部３１、１２６内に供給される構成を示したが、押下ヘッドを押下する過程で容器本体内の内容物がシリンダ部へ供給されるとともに、押下ヘッドの押下げ操作を解除すると、シリンダ部内の内容物が吐出口から吐出される構成としてもよい。
【００８１】
以上のように、本発明は、シリンダ部、ピストン部、押下ヘッド、およびノズル部を備え、押下ヘッドの上下動に伴って、容器本体の内容物がシリンダ部内へ供給されるとともに、シリンダ部内の内容物が吐出口から吐出される構成であれば、他の異なる構成に適用することが可能である。
【符号の説明】
【００８２】
１、１Ａ、２、３  吐出容器
１１  容器本体
２１  吐出器
３１  シリンダ部
４６  ピストン部
５１、１３２  押下ヘッド
５３ｃ、１３２ａ  収容孔
６１、１３４  ノズル部
６３ａ  吐出口
８１、１０１  補助具
８６、１０６  操作部材
８７、１６１  押下部
８８、１６２  連結部
８８ａ  退避凹部
８８ｂ、１０７ｂ  被係合部
９１  帯体
９１ａ  一端部
９１ｂ  他端部
９１ｃ  中間部
９３、１０３  係合部
１２６  液用シリンダ（シリンダ部）
１３０  液用ピストン（ピストン部）
【図１】
2018122900.tif 000003
【図２】
2018122900.tif 000004
【図３】
2018122900.tif 000005
【図４】
2018122900.tif 000006
【図５】
2018122900.tif 000007
【図６】
2018122900.tif 000008
【図７】
2018122900.tif 000009
【図８】
2018122900.tif 000010